(57)【要約】【課題】乗車前に経路検索要求を一回行うだけで、入場駅から目的駅までの経路と目的駅から目的地までの経路をそれぞれ必要なタイミングで自動表示する。【解決手段】携帯端末１０が、改札入場時に自動改札機２０から入場情報を受信し、前記入場情報と利用者に入力された目的地とを経路案内サーバ３０に送信して経路検索を要求し、前記経路案内サーバ３０により検索，生成された経路情報を受信して格納し、前記経路情報受信時に前記経路情報に含まれる入場駅から目的駅までの経路を表示し、改札出場時に自動改札機２０から出場情報を受信して前記入場情報を消去するとともに、前記経路情報に含まれる目的駅から目的地までの経路を表示する。【選択図】      図１
2006323656.tif 000002
【特許請求の範囲】
【請求項１】
相互にネットワークで接続される携帯端末，経路案内サーバと、駅に設置された自動改札機とを備えた経路案内システムであって、
前記携帯端末は、改札入場時に自動改札機から入場情報を受信し格納する手段と、前記入場情報に含まれる入場駅と利用者が入力した目的地または目的駅とを含む経路検索要求情報を前記経路案内サーバに送信する手段と、前記経路案内サーバから経路情報を受信し格納する手段と、前記経路情報に含まれる入場駅から目的駅までの経路を前記経路情報受信時に表示する手段と、改札出場時に自動改札機から出場情報を受信することにより、前記経路情報に含まれる目的駅から目的地までの経路を表示する手段とを有し、
前記自動改札機は、入場時に前記携帯端末に入場情報を送信する手段と、出場時に前記携帯端末に出場情報を送信する手段とを有し、
前記経路案内サーバは、前記経路検索要求情報を受信して経路情報を検索，生成し前記携帯端末に送信する手段を有することを特徴とする経路案内システム。
【請求項２】
前記携帯端末は前記出場情報を受信することにより前記入場情報を消去する手段をさらに有することを特徴とする請求項１記載の経路案内システム。
【請求項３】
相互にネットワークで接続される携帯端末，経路案内サーバと、駅に設置された自動改札機とを備えた経路案内システムであって、
前記携帯端末は、改札入場時に自動改札機から入場情報を受信し格納する手段と、前記入場情報に含まれる入場駅と利用者が入力した目的地または目的駅とを含む経路検索要求情報を前記経路案内サーバに送信する手段と、前記経路案内サーバから経路情報を受信し格納する手段と、前記経路情報に含まれる入場駅から目的駅までの経路を前記経路情報受信時に表示する手段と、位置情報を取得し前記経路情報に含まれる目的駅の改札口または出口の位置情報と照合する手段と、照合の結果位置情報が一致した場合、前記経路情報に含まれる目的駅から目的地までの経路を表示する手段とを有し、
前記自動改札機は、入場時に前記携帯端末に入場情報を送信する手段を有し、
前記経路案内サーバは、前記経路検索要求情報を受信して経路情報を検索，生成し前記携帯端末に送信する手段を有することを特徴とする経路案内システム。
【請求項４】
前記携帯端末は、前記照合の結果位置情報が一致した場合に前記入場情報を消去する手段をさらに有することを特徴とする請求項３記載の経路案内システム。
【請求項５】
前記携帯端末は、前記経路情報受信後に前記経路情報に含まれる目的駅までの所要時間の経過を監視し、前記所要時間経過後に前記位置情報の取得，照合を開始することを特徴とする請求項３または４記載の経路案内システム。
【請求項６】
前記経路案内サーバは、前記経路検索要求情報に目的地が含まれていなかった場合、前記経路検索要求情報に含まれている目的駅に対応して登録されている目的地候補を検索し目的地候補一覧情報を生成して前記携帯端末に送信する手段をさらに有し、前記携帯端末は、受信した目的地候補一覧情報から利用者に選択された目的地を前記経路案内サーバに送信する手段をさらに有することを特徴とする請求項１〜５のいずれか１項記載の経路案内システム。
【請求項７】
前記携帯端末は前記入場情報に含まれるＵＲＬを用いて前記経路案内サーバに接続することを特徴とする請求項１〜６のいずれか１項記載の経路案内システム。
【請求項８】
経路案内サーバと駅に設置された自動改札機とに接続される携帯端末であって、
改札入場時に自動改札機から入場情報を受信し格納する手段と、前記入場情報に含まれる入場駅と利用者が入力した目的地または目的駅とを含む経路検索要求情報を前記経路案内サーバに送信する手段と、前記経路案内サーバから経路情報を受信し格納する手段と、前記経路情報に含まれる入場駅から目的駅までの経路を前記経路情報受信時に表示する手段と、改札出場時に自動改札機から出場情報を受信することにより、前記経路情報に含まれる目的駅から目的地までの経路を表示する手段とを有することを特徴とする携帯端末。
【請求項９】
前記出場情報を受信することにより前記入場情報を消去する手段をさらに有することを特徴とする請求項８記載の携帯端末。
【請求項１０】
経路案内サーバと駅に設置された自動改札機とに接続される携帯端末であって、
改札入場時に自動改札機から入場情報を受信し格納する手段と、前記入場情報に含まれる入場駅と利用者が入力した目的地または目的駅とを含む経路検索要求情報を前記経路案内サーバに送信する手段と、前記経路案内サーバから経路情報を受信し格納する手段と、前記経路情報に含まれる入場駅から目的駅までの経路を前記経路情報受信時に表示する手段と、位置情報を取得し前記経路情報に含まれる目的駅の改札口または出口の位置情報と照合する手段と、照合の結果位置情報が一致した場合、前記経路情報に含まれる目的駅から目的地までの経路を表示する手段とを有することを特徴とする携帯端末。
【請求項１１】
前記照合の結果位置情報が一致した場合に前記入場情報を消去する手段をさらに有することを特徴とする請求項１０記載の携帯端末。
【請求項１２】
前記経路情報受信後に前記経路情報に含まれる目的駅までの所要時間の経過を監視し、前記所要時間経過後に前記位置情報の取得，照合を開始することを特徴とする請求項１０または１１記載の携帯端末。
【請求項１３】
前記入場情報に含まれるＵＲＬを用いて前記経路案内サーバに接続することを特徴とする請求項８〜１２のいずれか１項記載の携帯端末。
【請求項１４】
携帯端末がサーバから経路情報を受信して格納し、前記経路情報に含まれる入場駅から目的駅までの経路については前記経路情報受信時に表示し、前記経路情報に含まれる目的駅から目的地までの経路については目的駅の改札口または出口に到着したタイミングで表示することを特徴とする経路案内方法。
【請求項１５】
携帯端末が、改札入場時に自動改札機から入場情報を受信し、前記入場情報と利用者に入力された目的地とをサーバに送信して経路検索を要求し、前記サーバにより検索，生成された経路情報を受信して格納し、前記経路情報受信時に前記経路情報に含まれる入場駅から目的駅までの経路を表示し、改札出場時に自動改札機から出場情報を受信して前記入場情報を消去するとともに、前記経路情報に含まれる目的駅から目的地までの経路を表示することを特徴とする経路案内方法。
【請求項１６】
携帯端末が、改札入場時に自動改札機から入場情報を受信し、前記入場情報と利用者に入力された目的地とをサーバに送信して経路検索を要求し、前記サーバにより検索，生成された経路情報を受信して格納し、前記経路情報受信時に前記経路情報に含まれる入場駅から目的駅までの経路を表示し、位置情報を取得し前記経路情報に含まれる目的駅の改札口または出口の位置情報と照合し、照合の結果位置情報が一致した場合、前記入場情報を消去するとともに、前記経路情報に含まれる目的駅から目的地までの経路を表示することを特徴とする経路案内方法。
【請求項１７】
入場情報を受信し格納する機能、前記入場情報に含まれる入場駅と利用者が入力した目的地または目的駅とを含む経路検索要求情報をサーバに送信する機能、前記サーバから経路情報を受信し格納する機能、前記経路情報に含まれる入場駅から目的駅までの経路を前記経路情報受信時に表示する機能、出場情報を受信することにより、前記経路情報に含まれる目的駅から目的地までの経路を表示する機能、前記出場情報を受信することにより前記入場情報を消去する機能、をコンピュータに実現させるためのプログラム。
【請求項１８】
入場情報を受信し格納する機能、前記入場情報に含まれる入場駅と利用者が入力した目的地または目的駅とを含む経路検索要求情報をサーバに送信する機能、前記サーバから経路情報を受信し格納する機能、前記経路情報に含まれる入場駅から目的駅までの経路を前記経路情報受信時に表示する機能、位置情報を取得し前記経路情報に含まれる目的駅の改札口または出口の位置情報と照合する機能、照合の結果位置情報が一致した場合、前記経路情報に含まれる目的駅から目的地までの経路を表示する機能、前記照合の結果位置情報が一致した場合に前記入場情報を消去する機能、をコンピュータに実現させるためのプログラム。
【発明の詳細な説明】
【技術分野】
【０００１】
本発明は、経路案内システム，携帯端末，経路案内方法およびプログラムに関し、特に交通機関利用者の携帯端末に乗車駅から目的駅、目的駅から目的地の経路を案内する経路案内システム，携帯端末，経路案内方法およびプログラムに関する。
【背景技術】
【０００２】
従来の経路案内サービスは、例えば、特開２００２−２９８１６９号公報（特許文献１）や、特開平１０−１３４１０８号公報（特許文献２）に記載されている。
【０００３】
特許文献１においては、利用者が駅構内において携帯端末から入場駅，目的駅，現在時刻を経路検索サーバに送信して目的駅までの経路検索を要求し、検索結果を受信することが記載されている。なお、携帯端末は非接触ＩＣカードを内蔵しており、自動改札機入場時に自動改札機から入場駅名を受信するとともに、現在時刻を携帯端末の時計から取得することにより、利用者の入力の手間を省いている。
【０００４】
また、特許文献２においては、出発地名，目的地名を入力して経路検索を要求した場合に、出発地，目的地に対応する駅名を検索取得し、
・出発駅，目的駅間の経路情報と、
・目的駅における目的地に最も近い最適改札口情報と、目的駅の最適改札口に最も近い位置に停車する車両番号と、
を検索，表示することが記載されている。
【０００５】
【特許文献１】特開２００２−２９８１６９号公報（段落「００２０」，「００２４」〜「００２６」）
【特許文献２】特開平１０−１３４１０８号公報（段落「００１７」〜「００１８」，「００２１」）
【発明の開示】
【発明が解決しようとする課題】
【０００６】
上述した特許文献１または２においては、出発駅から目的駅までの経路案内は行っているが、目的駅到着後の目的駅から目的地までの経路案内については何ら記載されていない。これについては、目的駅で降車後に目的地までの経路検索を要求する方法も考えられるが、利用者にとっては乗車前における目的駅までの経路検索要求と合わせて２回検索要求しなければならないという煩わしさがある。従って、乗車駅から目的駅までの検索および目的駅から目的地までの検索を、乗車前に１回で行うことが望ましい。さらに、乗車駅から目的駅までの経路表示は乗車前の検索時に行い、目的駅から目的地までの経路表示については、利用者が目的駅に到着し目的地に向かうタイミングで自動的に行うようにすることが望ましい。
【０００７】
本発明の目的は、上述した課題を解決する経路案内システム，携帯端末，経路案内方法およびプログラムを提供することにある。
【課題を解決するための手段】
【０００８】
本発明の第１の経路案内システムは、相互にネットワークで接続される携帯端末，経路案内サーバと、駅に設置された自動改札機とを備えた経路案内システムであって、
前記携帯端末は、改札入場時に自動改札機から入場情報を受信し格納する手段と、前記入場情報に含まれる入場駅と利用者が入力した目的地または目的駅とを含む経路検索要求情報を前記経路案内サーバに送信する手段と、前記経路案内サーバから経路情報を受信し格納する手段と、前記経路情報に含まれる入場駅から目的駅までの経路を前記経路情報受信時に表示する手段と、改札出場時に自動改札機から出場情報を受信することにより、前記経路情報に含まれる目的駅から目的地までの経路を表示する手段とを有し、
前記自動改札機は、入場時に前記携帯端末に入場情報を送信する手段と、出場時に前記携帯端末に出場情報を送信する手段とを有し、
前記経路案内サーバは、前記経路検索要求情報を受信して経路情報を検索，生成し前記携帯端末に送信する手段を有する。
【０００９】
本発明の第２の経路案内システムは、本発明の第１の経路案内システムにおいて、前記携帯端末は前記出場情報を受信することにより前記入場情報を消去する手段をさらに有する。
【００１０】
本発明の第３の経路案内システムは、相互にネットワークで接続される携帯端末，経路案内サーバと、駅に設置された自動改札機とを備えた経路案内システムであって、
前記携帯端末は、改札入場時に自動改札機から入場情報を受信し格納する手段と、前記入場情報に含まれる入場駅と利用者が入力した目的地または目的駅とを含む経路検索要求情報を前記経路案内サーバに送信する手段と、前記経路案内サーバから経路情報を受信し格納する手段と、前記経路情報に含まれる入場駅から目的駅までの経路を前記経路情報受信時に表示する手段と、位置情報を取得し前記経路情報に含まれる目的駅の改札口または出口の位置情報と照合する手段と、照合の結果位置情報が一致した場合、前記経路情報に含まれる目的駅から目的地までの経路を表示する手段とを有し、
前記自動改札機は、入場時に前記携帯端末に入場情報を送信する手段を有し、
前記経路案内サーバは、前記経路検索要求情報を受信して経路情報を検索，生成し前記携帯端末に送信する手段を有することを特徴とする経路案内システム。
【００１１】
本発明の第４の経路案内システムは、本発明の第３の経路案内システムにおいて、前記携帯端末は、前記照合の結果位置情報が一致した場合に前記入場情報を消去する手段をさらに有する。
【００１２】
本発明の第５の経路案内システムは、本発明の第３または第４の経路案内システムにおいて、前記携帯端末は、前記経路情報受信後に前記経路情報に含まれる目的駅までの所要時間の経過を監視し、前記所要時間経過後に前記位置情報の取得，照合を開始することを特徴とする。
【００１３】
本発明の第６の経路案内システムは、本発明の第１〜第５のいずれかの経路案内システムにおいて、前記経路案内サーバは、前記経路検索要求情報に目的地が含まれていなかった場合、前記経路検索要求情報に含まれている目的駅に対応して登録されている目的地候補を検索し目的地候補一覧情報を生成して前記携帯端末に送信する手段をさらに有し、前記携帯端末は、受信した目的地候補一覧情報から利用者に選択された目的地を前記経路案内サーバに送信する手段をさらに有する。
【００１４】
本発明の第７の経路案内システムは、本発明の第１〜第６のいずれかの経路案内システムにおいて、前記携帯端末は前記入場情報に含まれるＵＲＬを用いて前記経路案内サーバに接続することを特徴とする。
【００１５】
本発明の第１の携帯端末は、経路案内サーバと駅に設置された自動改札機とに接続される携帯端末であって、
改札入場時に自動改札機から入場情報を受信し格納する手段と、前記入場情報に含まれる入場駅と利用者が入力した目的地または目的駅とを含む経路検索要求情報を前記経路案内サーバに送信する手段と、前記経路案内サーバから経路情報を受信し格納する手段と、前記経路情報に含まれる入場駅から目的駅までの経路を前記経路情報受信時に表示する手段と、改札出場時に自動改札機から出場情報を受信することにより、前記経路情報に含まれる目的駅から目的地までの経路を表示する手段とを有する。
【００１６】
本発明の第２の携帯端末は、本発明の第１の携帯端末において、前記出場情報を受信することにより前記入場情報を消去する手段をさらに有する。
【００１７】
本発明の第３の携帯端末は、経路案内サーバと駅に設置された自動改札機とに接続される携帯端末であって、
改札入場時に自動改札機から入場情報を受信し格納する手段と、前記入場情報に含まれる入場駅と利用者が入力した目的地または目的駅とを含む経路検索要求情報を前記経路案内サーバに送信する手段と、前記経路案内サーバから経路情報を受信し格納する手段と、前記経路情報に含まれる入場駅から目的駅までの経路を前記経路情報受信時に表示する手段と、位置情報を取得し前記経路情報に含まれる目的駅の改札口または出口の位置情報と照合する手段と、照合の結果位置情報が一致した場合、前記経路情報に含まれる目的駅から目的地までの経路を表示する手段とを有する。
【００１８】
本発明の第４の携帯端末は、本発明の第３の携帯端末において、前記照合の結果位置情報が一致した場合に前記入場情報を消去する手段をさらに有する。
【００１９】
本発明の第５の携帯端末は、本発明の第３または第４の携帯端末において、前記経路情報受信後に前記経路情報に含まれる目的駅までの所要時間の経過を監視し、前記所要時間経過後に前記位置情報の取得，照合を開始することを特徴とする。
【００２０】
本発明の第６の携帯端末は、本発明の第１〜第５のいずれかの携帯端末において、前記入場情報に含まれるＵＲＬを用いて前記経路案内サーバに接続することを特徴とする。
【００２１】
本発明の第１の経路案内方法は、携帯端末がサーバから経路情報を受信して格納し、前記経路情報に含まれる入場駅から目的駅までの経路については前記経路情報受信時に表示し、前記経路情報に含まれる目的駅から目的地までの経路については目的駅の改札口または出口に到着したタイミングで表示することを特徴とする。
【００２２】
本発明の第２の経路案内方法は、携帯端末が、改札入場時に自動改札機から入場情報を受信し、前記入場情報と利用者に入力された目的地とをサーバに送信して経路検索を要求し、前記サーバにより検索，生成された経路情報を受信して格納し、前記経路情報受信時に前記経路情報に含まれる入場駅から目的駅までの経路を表示し、改札出場時に自動改札機から出場情報を受信して前記入場情報を消去するとともに、前記経路情報に含まれる目的駅から目的地までの経路を表示することを特徴とする。
【００２３】
本発明の第３の経路案内方法は、携帯端末が、改札入場時に自動改札機から入場情報を受信し、前記入場情報と利用者に入力された目的地とをサーバに送信して経路検索を要求し、前記サーバにより検索，生成された経路情報を受信して格納し、前記経路情報受信時に前記経路情報に含まれる入場駅から目的駅までの経路を表示し、位置情報を取得し前記経路情報に含まれる目的駅の改札口または出口の位置情報と照合し、照合の結果位置情報が一致した場合、前記入場情報を消去するとともに、前記経路情報に含まれる目的駅から目的地までの経路を表示することを特徴とする。
【００２４】
本発明の第１のプログラムは、入場情報を受信し格納する機能、前記入場情報に含まれる入場駅と利用者が入力した目的地または目的駅とを含む経路検索要求情報をサーバに送信する機能、前記サーバから経路情報を受信し格納する機能、前記経路情報に含まれる入場駅から目的駅までの経路を前記経路情報受信時に表示する機能、出場情報を受信することにより、前記経路情報に含まれる目的駅から目的地までの経路を表示する機能、前記出場情報を受信することにより前記入場情報を消去する機能、をコンピュータに実現させる。
【００２５】
本発明の第２のプログラムは、入場情報を受信し格納する機能、前記入場情報に含まれる入場駅と利用者が入力した目的地または目的駅とを含む経路検索要求情報をサーバに送信する機能、前記サーバから経路情報を受信し格納する機能、前記経路情報に含まれる入場駅から目的駅までの経路を前記経路情報受信時に表示する機能、位置情報を取得し前記経路情報に含まれる目的駅の改札口または出口の位置情報と照合する機能、照合の結果位置情報が一致した場合、前記経路情報に含まれる目的駅から目的地までの経路を表示する機能、前記照合の結果位置情報が一致した場合に前記入場情報を消去する機能、をコンピュータに実現させる。
【発明の効果】
【００２６】
本発明においては、サーバから受信した経路情報を携帯端末に格納しておき、入場駅から目的駅までの経路表示は乗車前に行い、目的駅から目的地までの経路表示は利用者が目的駅に到着し目的地に向かうタイミングで自動的に行うようにしている。これにより、利用者にとっては、乗車前に経路検索要求を一回行うだけで、入場駅から目的駅までの経路と目的駅から目的地までの経路がそれぞれ必要なタイミングで自動表示されるという効果が得られる。
【発明を実施するための最良の形態】
【００２７】
本発明の実施の形態について図面を参照して詳細に説明する。
【００２８】
図１は、本発明の一実施の形態の構成を示す図であり、携帯端末１０と、自動改札機２０と、経路案内サーバ３０と、前記携帯端末１０と前記経路案内サーバ３０とを接続するインターネット等のネットワーク１００とを備えている。
【００２９】
携帯端末１０は、利用者が携帯する携帯電話機，ＰＨＳ（Personal Handyphone System），ＰＤＡ（Personal Digital Assistance）等の携帯情報端末である。この携帯端末１０は、制御部１１と、アンテナ１２と、無線部１３と、入力部１４と、表示部１５と、記憶部１６と、非接触ＩＣ１７と、携帯端末・非接触ＩＣ間インターフェース部１８とを備えている。
【００３０】
制御部１１は、ＣＰＵ（Central Processing Unit）等の制御装置であり、図示しないプログラムにより動作を制御される。この制御部１１は、
・利用者から経路案内プログラムが起動されたときに、改札入場時に自動改札機２０から受信するＵＲＬ(Uniform Resource Locator)が取得されているかを確認し、取得されていた場合にＵＲＬにアクセスする機能、
・利用者から経路検索要求があったときに、利用者から入力された目的地または目的駅と、改札入場時に自動改札機２０から非接触通信により受信した入場駅名，入場時刻とを経路案内サーバ３０に送信する機能、
・経路案内サーバ３０から受信した入場駅から目的駅、目的駅から目的地までの経路情報を記憶部１６に格納する機能、
・経路案内サーバ３０からの経路情報受信時に、入場駅から目的駅までの経路情報を表示部１５に表示させる機能、
・目的駅から目的地までの経路情報を、利用者が目的駅の自動改札機２０を出場したタイミングで表示部１５に表示させる機能、
を備えている。
【００３１】
無線部１３は図示しない基地局との間でアンテナ１２を介して無線信号の送受信を行う通信装置であり、入力部１４はテンキー，機能キー，ポインティングデバイス等の入力手段である。表示部１５はＬＣＤ(Liquid Crystal Display)等の表示装置であり、記憶部１６は読み出し，書き込み可能な記憶装置である。非接触ＩＣ１７は、例えば非接触ＩＣカードであり、携帯端末１０に内蔵されている。この非接触ＩＣ１７は、ＣＰＵ等の制御部１７１と、ＩＣリーダ／ライタを備えた周知の非接触通信型自動改札機２０との間で近接通信用アンテナ１７２を介して無線信号の送受信を行う通信部１７３と、読み取り，書込可能な記憶部１７４とを備えている。なお、この非接触ＩＣ１７には、プリペイド料金情報や定期券情報等が記憶部１７４に格納されており、駅の自動改札機２０で切符や定期券の代わりに使用される。携帯端末・非接触ＩＣ間インターフェース部１８は、非接触ＩＣ１７と制御部１１とを接続するためのインタフェース部である。
【００３２】
自動改札機２０は、駅に設置され、利用者の入退場時に非接触通信により携帯端末１０の非接触ＩＣ１７との間で情報の送受信を行う機能を備えている。詳細には、改札入場時には入場情報を、改札出場時には入場情報の消去要求情報を、携帯端末１０に対してそれぞれ送信する。また、自動改札機２０は図示しない鉄道会社のネットワークと接続されており、携帯端末１０の非接触ＩＣ１７との非接触通信時に非接触ＩＣ１７の正当性のチェック，課金処理や入退場ゲートの開閉制御等も行うが、これらの処理は本発明とは直接関係がないので詳細な説明は省略する。
【００３３】
経路案内サーバ３０は、ワークステーション・サーバ等の情報処理装置であり、制御部３１と、記憶部３２とを備えている。制御部３１はＣＰＵ等の制御装置であり、図示しないプログラムにより動作を制御される。記憶部３２は読み出し，書き込み可能な記憶装置であり、駅対応ランドマークデータベース３２１を備えている。駅対応ランドマークデータベース３２１には、図２（駅対応ランドマークデータベース３２１に格納されるデータの一例を示す図）に示すように、駅名，ランドマーク名，最適出口情報，最適改札口／最適車両番号情報，位置情報等が予め登録されている。なお、ランドマークとは、目印や目標となる公共施設，ホテル，公園等を示し、利用者が目的地または目的地の目安とするものであり、最適出口情報とは、各ランドマークに最適な（例えば、最も近い）駅出口名，番号等である。最適改札口情報とは、各ランドマークに最適な（例えば、最も近い）改札口名，番号等であり、最適車両番号情報とは各最適改札口の最も近くに停車する列車車両番号である。位置情報とは、最適改札口または最適出口の位置情報（例えば、緯度／経度）である。また、記憶部３２には列車の路線情報，時刻情報や地図情報等も格納されているが、これらは周知であるため詳細な説明は省略する。
【００３４】
次に、本発明の一実施の形態の動作について図面を参照して説明する。
【００３５】
最初に、経路検索時の動作について図１〜図３を参照して説明する。図３は、本発明の一実施の形態における経路検索時の動作を示すフローチャートである。なお、利用者は経路案内プログラムをネットワーク１００や外部メモリ等を介して、事前に携帯端末１０の記憶部１６に格納しておくものとする。
【００３６】
図３を参照すると、利用者が改札入場時に自動改札機２０に携帯端末１０をかざすと、自動改札機２０は入場駅名，入場時刻，ＵＲＬを含む入場情報を非接触通信により携帯端末１０に送信する。ここで、ＵＲＬとは、例えば、経路案内サーバ３０がネットワーク１００上に開設している経路案内用Ｗebサイトへの接続情報である。入場情報を受信した携帯端末１０の非接触ＩＣ１７（より詳細には、制御部１７１）は、携帯端末・非接触ＩＣ間インターフェース部１８を介して制御部１１にこれら入場情報を送信する。制御部１１は入場情報を記憶部１６に格納する（ステップＡ１）。
【００３７】
利用者は、自動改札機２０を通過した後で、携帯端末１０の経路案内プログラムを起動する（ステップＡ２）。携帯端末１０の制御部１１は、経路案内サーバ３０のＵＲＬが記憶部１６に格納されているかをチェックする。格納されていなかった場合は、制御部１１は、自動改札機２０を通過していないため経路案内サーバ３０に接続できない旨を表示部１５に表示する。格納されていた場合は、制御部１１はＵＲＬにアクセスする（ステップＡ３）。
【００３８】
携帯端末１０からアクセスされた経路案内サーバ３０の制御部３１は、経路検索画面情報を携帯端末１０に送信し（ステップＡ４）、携帯端末１０の制御部１１は経路検索画面を表示部１５に表示する。この経路検索画面上には、例えば、目的地，目的駅の入力欄と検索要求ボタンが含まれている。この他に、利用路線等を追加してもよいが、以降の説明においては、利用路線は含まれていないものとして説明する。なお、利用者の入力項目としては、（１）目的地のみ、（２）目的地と目的駅、（３）目的駅のみの３種類が考えられる。本発明は目的駅〜目的地までの経路案内を特徴の一つとしているため目的地は必須項目であるが、利用者が目的地を思い出せなかったり、目的地がランドマークとして経路案内サーバ３０に登録されているか不明で入力を躊躇するような場合がある。このような場合は、利用者は（３）目的駅のみの入力を行い、後述するように、目的駅対応のランドマーク一覧を経路案内サーバ３０から受信し、目的地をランドマーク一覧から選択することになる（ステップＡ５）。
【００３９】
利用者による入力が終わり検索要求ボタンが画面上で押下されると、制御部１１は目的地または目的駅のいずれかが入力されているかをチェックする（ステップＡ６→ステップＡ７）。そして、目的地，目的駅の両方とも未入力であった場合は、制御部１１は目的地または目的駅を入力するよう表示部１５に表示する（ステップＡ８）。目的地または目的駅のいずれかが入力されていた場合、制御部１１は、利用者から入力された目的地または目的駅と、自動改札機２０から受信した入場駅，入場時刻とを経路検索要求情報として経路案内サーバ３０に送信する（ステップＡ９）。
【００４０】
経路検索要求情報を受信した経路案内サーバ３０の制御部３１は、受信した情報の中に目的地が含まれているかをチェックする（ステップＡ１０）。目的地が含まれていなかった場合、制御部３１は駅対応ランドマークデータベース３２１を参照し、目的駅に対応して登録されているランドマークの一覧を生成して携帯端末１０に送信する（ステップＡ１１）。携帯端末１０の制御部１１はランドマーク一覧を表示部１５に表示し、利用者は入力部１４により目的地のランドマークまたは目的地に近いランドマークを画面上で選択して、経路案内サーバ３０に送信する（ステップＡ１２）。
【００４１】
ステップＡ１０において目的地が含まれていた場合、または、ステップＡ１２により目的地を受信した場合、制御部３１は駅対応ランドマークデータベース３２１を参照し、目的地から対応する目的駅を取得する。なお、
・ステップＡ１０において、受信した目的地が駅対応ランドマークデータベース３２１に登録されていなかった場合、
または、
・ステップＡ１０において目的地と目的駅の両方が含まれており、検索の結果として目的地が目的駅とは別の駅に対応して登録されていた場合、
には、制御部３１はその旨を携帯端末１０に送信し、上記の問題が解決されるまで利用者に対し目的地の再入力を要求する（ステップＡ１３）。
【００４２】
ステップＡ１３で目的駅を取得した経路案内サーバ３０の制御部３１は、入場駅から目的駅までの経路情報と、目的駅から目的地までの経路情報を、記憶部３２に格納された路線情報，時刻表情報，地図情報を用いて生成し、携帯端末１０に送信する。なお、経路情報には、駅対応ランドマークデータベース３２１から得られる
・目的駅の最適改札口情報（目的地であるランドマークに最も近い改札口名や番号等）、
・最適車両番号情報（目的駅の最適改札口の最も近くに停車する列車車両番号）
・目的駅の最適出口情報（目的地であるランドマークに最も近い駅出口名や番号等）、
も含まれる（ステップＡ１４）。
【００４３】
携帯端末１０の制御部１１は、受信した入場駅から目的駅までの経路情報と、目的駅から目的地までの経路情報を記憶部１６に格納する（ステップＡ１５）。次に、制御部１１は、入場駅から目的駅までの経路情報を表示部１５に表示する（ステップＡ１６）。
【００４４】
これにより、利用者は目的駅までの経路と、目的駅における最適改札口や最適出口と、乗車車両番号を、乗車前に知ることができる。
【００４５】
次に、目的駅から目的地までの経路情報表示処理の動作について図１および図４を参照して説明する。図４は、本発明の一実施の形態における目的駅から目的地までの経路情報表示処理の動作を示すフローチャートである。
【００４６】
図４を参照すると、利用者が目的駅に到着し改札出場時に自動改札機２０に携帯端末１０をかざすと、自動改札機２０は入場情報の消去要求情報を非接触通信により携帯端末１０に送信する（ステップＢ１）。携帯端末１０の非接触ＩＣ１７は、受信した入場情報の消去要求情報を制御部１１に送信する。制御部１１は、入場駅における改札入場時に受信して記憶部１６に格納してあった入場駅名，入場時刻，ＵＲＬを含む入場情報を消去する（ステップＢ２）。そして、制御部１１は記憶部１６に格納していた目的駅から目的地までの経路情報を読み出して、表示部１５に表示する（ステップＢ３）。
【００４７】
上述したように、本発明の一実施の形態においては、自動改札機２０出場時に入場情報の消去要求情報を受信して、目的駅から目的地までの経路情報を自動的に表示するようにした。これにより、利用者は目的駅の改札口を出たタイミングで目的地までの経路を参照することができるという効果が得られる。
【００４８】
また、本発明の一実施の形態においては、改札入場時に自動改札機２０から携帯端末１０に入場駅名，現在時刻等を送信している。このため、携帯端末１０からの経路検索要求時に利用者による入場駅名，現在時刻の入力が省けるという効果が得られる。
【００４９】
また、本発明の一実施の形態においては、改札入場時に取得し、改札出場時に消去されるＵＲＬを利用して経路案内サーバ３０にアクセスするようにしている。このため、ＵＲＬの利用は駅の改札入場後出場までの間に限定されることにより、経路案内サーバ３０に対する過大なアクセス数によるサーバダウン，遅延等の防止や、経路案内サービスの無い他の鉄道会社との差別化が図れるという効果が得られる。
【００５０】
また、本発明の一実施の形態においては、目的駅を入力するだけで対応する目的地候補のランドマーク一覧を配信し、ランドマーク一覧から目的地を選択できるようにした。このため、利用者が目的地を思い出せなかったような場合でも容易に目的地を指定できるという効果がある。
【００５１】
次に、本発明の他の実施の形態について図１，図２，図３および図５を参照して説明する。図５は、本発明の他の実施の形態における目的駅から目的地までの経路情報表示処理の動作を示すフローチャートである。
【００５２】
本実施の形態が上述した一実施の形態と異なる点は、目的駅から目的地までの経路情報の表示に関する部分である。詳細には、一実施の形態においては、目的駅の自動改札機２０を出場した時点で表示させるようにしたが、本実施の形態においては、目的駅の最適改札口（目的地に最も近い改札口等）に利用者が到着したときに表示させるようにした。この最適改札口への到着については、携帯端末１０の位置情報と最適改札口の位置情報の一致を監視することにより判断する。このため、本実施の形態における携帯端末１０は、ＧＰＳ（Global Positioning System）等の位置情報取得手段を、一実施の形態の構成（図１）に比べてさらに備えている。
【００５３】
次に、本発明の他の実施の形態の動作について説明する。
【００５４】
図５を参照すると、図３のステップＡ１〜Ａ１３に示す経路検索時の動作については、本実施の形態にもそのまま適用される。ステップＡ１〜Ａ１３の動作については上述した一実施の形態と同じであるため説明を省略し、ステップＡ１３に続くステップＣ１〜ステップＣ８の動作について説明する。
【００５５】
図３のステップＡ１３で目的駅を取得した経路案内サーバ３０の制御部３１は、入場駅から目的駅までの経路情報と、目的駅から目的地までの経路情報を、記憶部３２に格納された路線情報，時刻表情報，地図情報を用いて生成し、携帯端末１０に送信する。なお、経路情報には、駅対応ランドマークデータベース３２１から得られる
・目的駅の最適改札口情報（目的地であるランドマークに最も近い改札口名や番号等）、
・目的駅の最適改札口の位置情報（緯度／経度等）
・最適車両番号情報（目的駅の最適改札口の最も近くに停車する列車車両番号）
・目的駅の最適出口情報（目的地であるランドマークに最も近い駅出口名や番号等）、
も含まれる。また、入場駅から目的駅までの経路情報には、入場駅から目的駅までの所要時間も含まれる（ステップＣ１）。
【００５６】
携帯端末１０の制御部１１は、受信した入場駅から目的駅までの経路情報と、目的駅から目的地までの経路情報を記憶部１６に格納する（ステップＣ２）。次に、制御部１１は、入場駅から目的駅までの経路情報を表示部１５に表示する（ステップＣ３）。
【００５７】
次に、制御部１１は、目的駅までの所要時間の経過を図示しない時計部により監視する（ステップＣ４）。所要時間が経過した場合、制御部１１は図示しないＧＰＳ等の位置情報取得手段により定期的に（例えば、１０秒毎）位置情報の取得を開始し、経路案内サーバ３０から受信した最適改札口の位置情報と照合する（ステップＣ５，Ｃ６）。照合の結果、位置情報が一致した場合は、制御部１１は記憶部１６に格納していた目的駅から目的地までの経路情報を読み出して、表示部１５に表示する（ステップＣ７，Ｃ８）。
【００５８】
上述したように、本発明の他の実施の形態においては、利用者が目的駅の最適改札口に到着したことを位置情報の照合により判断し、目的駅から目的地までの経路情報を自動的に表示するようにした。これにより、利用者は目的駅の最適改札口に到着して目的地に向かうタイミングで目的地までの経路を参照できるという効果が得られる。
【００５９】
また、本発明の他の実施の形態においては、位置情報の取得，照合を入場駅から目的駅までの所要時間経過後に定期的に行うようにした。このため、目的駅に到着後または到着の少し前から位置情報の取得，照合を行うことになり、携帯端末１０における位置情報取得，照合処理の効率化が図れるという効果が得られる。
【００６０】
次に、本発明の応用例，変形例等について説明する。
【００６１】
・上述した一実施の形態または他の実施の形態において、改札入場時に自動改札機２０は入場駅名，入場時刻，ＵＲＬを含む入場情報を非接触通信により携帯端末１０に送信するとして説明したが、入場時刻，ＵＲＬについては以下のようにしてもよい。例えば、入場時刻については自動改札機２０から送信せず、経路案内サーバ３０に経路検索要求するときに、携帯端末１０が携帯端末１０内部の時計部から現在時刻を取得して送信するようにしてもよい。また、ＵＲＬについては自動改札機２０から送信せず、携帯端末１０の記憶部１６に予め格納しておいたＵＲＬを読み出すようにしてもよい。これにより、自動改札機２０が非接触通信により携帯端末１０に送信する情報が少なくなるという効果が得られる。
【００６２】
・上述した一実施の形態または他の実施の形態において、改札入場時に携帯端末１０の非接触ＩＣ１７が自動改札機２０から受信した入場情報を制御部１１に送信し、制御部１１が記憶部１６に格納するとして説明した。これに対して、非接触ＩＣ１７が自動改札機２０から受信した入場情報を非接触ＩＣ１７内部の記憶部１７４に格納し、制御部１１が経路案内サーバ３０への経路検索要求時に参照するようにしてもよい。この場合、自動改札機２０から出場する際の入場情報の消去に関しても、非接触ＩＣ１７の記憶部１７４から消去することになる。
【００６３】
・上述した一実施の形態において、目的駅での改札出場時に自動改札機２０から携帯端末１０に入場情報の消去要求情報を送信するとして説明した。この入場情報の消去要求情報の代わりに出場情報（出場を意味する予め定めたデータであり、データ内容には限定されない）を送信し、出場情報を受信した携帯端末１０が入場情報の消去要求情報を受信した場合と同じ動作を行うようにしてもよい。
【００６４】
・上述した他の実施の形態において、利用者が目的駅の最適改札口に到着した場合に目的駅から目的地までの経路情報を表示するとして説明したが、目的駅の最適改札口到着時の代わりに目的駅の最適出口到着時としてもよい。この場合、上述したステップＣ１において、目的駅の最適改札口の位置情報の代わりに、最適出口の位置情報を経路案内サーバ３０から携帯端末１０に送信し、ステップＣ６において、携帯端末１０は最適出口と自端末の位置情報の照合を行うことになる。
【００６５】
・上述した他の実施の形態において、携帯端末１０における位置情報の取得，照合を入場駅から目的駅までの所要時間経過後に定期的に行うとして説明したが、経路情報受信後すぐに定期的に行うようにしてもよい。
【図面の簡単な説明】
【００６６】
【図１】本発明の一実施の形態の構成を示す図である。
【図２】駅対応ランドマークデータベース３２１に格納されるデータの一例を示す図である。
【図３】本発明の一実施の形態における経路検索時の動作を示すフローチャートである。
【図４】本発明の一実施の形態における目的駅から目的地までの経路情報表示処理の動作を示すフローチャートである。
【図５】本発明の他の実施の形態における目的駅から目的地までの経路情報表示処理の動作を示すフローチャートである。
【符号の説明】
【００６７】
１０    携帯端末
１１    制御部
１２    アンテナ
１３    無線部
１４    入力部
１５    表示部
１６    記憶部
１７    非接触ＩＣ
１７１    制御部
１７２    近接通信用アンテナ
１７３    通信部
１７４    記憶部
１８    携帯端末・非接触ＩＣ間インターフェース部
２０    自動改札機
３０    経路案内サーバ
３１    制御部
３２    記憶部
３２１    駅対応ランドマークデータベース
１００    ネットワーク
【図１】
2006323656.tif 000003
【図２】
2006323656.tif 000004
【図３】
2006323656.tif 000005
【図４】
2006323656.tif 000006
【図５】
2006323656.tif 000007